(57)【要約】【課題】所定短時間の雨量データを用いて雨量強度予測を行うことで観測対象河川付近の住民の早期避難を実現できる早期避難支援システムを提供する。【解決手段】早期避難支援システムは、雨量観測サーバ１と雨量強度予測装置２とが通信ネットワークＮを介して接続されている。雨量観測サーバ１は、観測対象河川の所定短時間毎の雨量データを記憶すると共に、その記憶した所定短時間毎の雨量データを前記雨量強度予測装置２に通信ネットワークＮを介して配信してなり、前記雨量強度予測装置２は、前記配信された雨量データを取得する雨量データ取得生成部２１と、前記雨量データ取得生成部２１にて取得した雨量データから単位時間当たりの予測雨量強度を算出する予測雨量強度算出部２４とを有している。【選択図】図１
2013016065.tif 000002
【特許請求の範囲】
【請求項１】
雨量観測サーバと、雨量強度予測装置とが通信ネットワークを介して接続されてなる早期避難支援システムであって、
前記雨量観測サーバは、観測対象河川の所定短時間毎の雨量データを記憶すると共に、その記憶した所定短時間毎の雨量データを前記雨量強度予測装置に通信ネットワークを介して配信してなり、
前記雨量強度予測装置は、前記配信された雨量データを取得する雨量データ取得手段と、前記雨量データ取得手段にて取得した雨量データから単位時間当たりの予測雨量強度を算出する予測雨量強度算出手段とを有してなることを特徴とする早期避難支援システム。
【請求項２】
前記雨量強度予測装置は、さらに、設定された所定のサンプリング時間を格納するサンプリング時間格納手段を有し、
前記予測雨量強度算出手段は、前記サンプリング時間格納手段にて格納されたサンプリング時間の単位時間当たりの予測雨量強度を前記雨量データ取得手段にて取得した雨量データから算出してなることを特徴とする請求項１に記載の早期避難支援システム。
【請求項３】
前記予測雨量強度算出手段は、前記雨量データ取得手段にて取得した雨量データを基に所要時刻における前記サンプリング時間格納手段にて格納されたサンプリング時間の雨量データの移動平均を算出し、その算出した移動平均値から単位時間当たりの予測雨量強度を算出してなることを特徴とする請求項２に記載の早期避難支援システム。
【請求項４】
前記雨量強度予測装置は、さらに、災害発生等の危険度に応じて設定された雨量強度を格納する閾値格納手段と、前記予測雨量強度算出手段にて算出された予測雨量強度が、前記閾値格納手段にて格納された雨量強度のうちどの危険度の閾値に該当するかを少なくとも判別できる判別手段とを有してなることを特徴とする請求項１〜３のいずれか１項に記載の早期避難支援システム。
【発明の詳細な説明】
【技術分野】
【０００１】
本発明は、所定短時間の雨量データを用いて雨量強度予測を行い、この雨量強度予測に基づいて観測対象河川付近の住民等の早期避難を実現できる早期避難支援システムに関する。
【背景技術】
【０００２】
従来の避難支援システムとして、特許公報などの具体的な公知文献を挙げることはできないが、現在使用されている避難支援システムは、計測した雨量データを記憶する配信サーバと、その配信サーバから通信ネットワークを介して１０分間隔で配信される雨量データを表示する雨量表示装置とで構成されている。この雨量データは、累加雨量を表し、上記雨量表示装置は、この累加雨量を表示するものである。そしてこのシステムの使用者は、この表示を参照し、観測対象河川付近の住民等の避難勧告等を行うか否かを決定している。
【発明の概要】
【発明が解決しようとする課題】
【０００３】
しかしながら、上記従来の避難支援システムは、次のような問題があった。すなわち、上記従来の避難支援システムは、累加雨量情報しか提供しておらず、しかも、１０分間隔の雨量情報であるため、観測対象河川における降雨の状況変化をリアルタイムに把握することができず、それゆえ、近年増加傾向にある局地的豪雨を捉えることができないという問題があった。そのため、観測対象河川付近の住民等への避難勧告等が遅れ、最悪の場合、多数の人命を失ってしまうという問題があった。
【０００４】
そこで本発明は、上記問題点に鑑み、所定短時間の雨量データを用いて雨量強度予測を行うことで観測対象河川付近の住民等の早期避難を実現できる早期避難支援システムを提供することを目的としている。
【課題を解決するための手段】
【０００５】
上記本発明の目的は、以下の手段によって達成される。なお、括弧内は、後述する実施形態の参照符号を付したものであるが、本発明はこれに限定されるものではない。
【０００６】
請求項１の発明にかかる早期避難支援システムは、雨量観測サーバ（１）と、雨量強度予測装置（２）とが通信ネットワーク（Ｎ）を介して接続されてなる早期避難支援システムであって、
前記雨量観測サーバ（１）は、観測対象河川の所定短時間毎の雨量データを記憶すると共に、その記憶した所定短時間毎の雨量データを前記雨量強度予測装置（２）に通信ネットワーク（Ｎ）を介して配信してなり、
前記雨量強度予測装置（２）は、前記配信された雨量データを取得する雨量データ取得手段（雨量データ取得生成部２１）と、前記雨量データ取得手段（雨量データ取得生成部２１）にて取得した雨量データから単位時間当たりの予測雨量強度を算出する予測雨量強度算出手段（予測雨量強度算出部２４）とを有してなることを特徴としている。
【０００７】
請求項２の発明は、上記請求項１に記載の早期避難支援システムにおいて、前記雨量強度予測装置（２）は、さらに、設定された所定のサンプリング時間を格納するサンプリング時間格納手段（サンプリング時間設定格納部２３）を有し、
前記予測雨量強度算出手段（予測雨量強度算出部２４）は、前記サンプリング時間格納手段（サンプリング時間設定格納部２３）にて格納されたサンプリング時間の単位時間当たりの予測雨量強度を前記雨量データ取得手段（雨量データ取得生成部２１）にて取得した雨量データから算出してなることを特徴としている。
【０００８】
請求項３の発明は、上記請求項２に記載の早期避難支援システムにおいて、前記予測雨量強度算出手段（予測雨量強度算出部２４）は、前記雨量データ取得手段（雨量データ取得生成部２１）にて取得した雨量データを基に所要時刻における前記サンプリング時間格納手段（サンプリング時間設定格納部２３）にて格納されたサンプリング時間の雨量データの移動平均を算出し、その算出した移動平均値から単位時間当たりの予測雨量強度を算出してなることを特徴としている。
【０００９】
請求項４の発明は、上記請求項１〜３のいずれか１項に記載の早期避難支援システムにおいて、前記雨量強度予測装置（２）は、さらに、災害発生等の危険度に応じて設定された雨量強度を格納する閾値格納手段（閾値設定格納部２７）と、前記予測雨量強度算出手段（予測雨量強度算出部２４）にて算出された予測雨量強度が、前記閾値格納手段（閾値設定格納部２７）にて格納された雨量強度のうちどの危険度の閾値に該当するかを少なくとも判別できる判別手段（判別部２８）とを有してなることを特徴としている。
【発明の効果】
【００１０】
次に、本発明の効果について、図面の参照符号を付して説明する。まず、請求項１の発明にかかる早期避難支援システムによれば、雨量強度予測装置（２）は、通信ネットワーク（Ｎ）を介して配信されてくる雨量観測サーバ（１）からの観測対象河川の所定短時間毎の雨量データを雨量データ取得手段（雨量データ取得生成部２１）にて取得し、その取得した雨量データから単位時間当たりの予測雨量強度を予測雨量強度算出手段（予測雨量強度算出部２４）にて算出している。そのため、この算出した単位時間当たりの予測雨量強度を表示部（２９）等によって本システムの使用者に報知してあげれば、使用者は、観測対象河川の降雨状況の変化をいち早く察知することができる。それゆえ、本発明によれば、観測対象河川付近の住民等の早期避難を実現することができる。
【００１１】
また、請求項２の発明によれば、サンプリング時間格納手段（サンプリング時間設定格納部２３）にて格納されたサンプリング時間の単位時間あたりの予測雨量強度を予測雨量強度算出手段（予測雨量強度算出部２４）にて算出している。そのため、この算出した予測雨量強度を表示部（２９）等によって本システムの使用者に報知してあげれば、使用者は、高精度な降雨状況の変化を知ることができる。それゆえ、使用者は、より的確な避難指示等を観測対象河川付近の住民等にすることができる。
【００１２】
さらに、請求項３の発明によれば、サンプリング時間格納手段（サンプリング時間設定格納部２３）にて格納されたサンプリング時間の単位時間あたりの予測雨量強度を、移動平均を用いて予測雨量強度算出手段（予測雨量強度算出部２４）にて算出している。そのため、この算出した予測雨量強度を表示部（２９）等によって本システムの使用者に報知してあげれば、使用者は、より高精度な降雨状況の変化を知ることができる。それゆえ、使用者は、さらに的確な避難指示等を観測対象河川付近の住民等にすることができる。
【００１３】
そして、請求項４の発明によれば、閾値格納部（閾値設定格納部２７）にて災害発生等の危険度に応じて設定された雨量強度において、予測雨量強度算出手段（予測雨量強度算出部２４）にて算出した予測雨量強度が、どの危険度の雨量強度の閾値に該当するかを判別手段（判別部２８）にて判別することができる。そのため、その判別結果を表示部（２９）等によって本システムの使用者に報知してあげれば、使用者は、現在の降雨状況がどの危険度なのかを瞬時に判断することができる。それゆえ、使用者は、より速やかな避難勧告等を観測対象地域の住民等に行うことができる。
【図面の簡単な説明】
【００１４】
【図１】本発明に係る早期避難支援システムの概略構成図である。
【図２】図１に示す雨量強度予測装置の表示部に表示される画面例である。
【発明を実施するための形態】
【００１５】
以下、本発明に係る早期避難支援システムの一実施形態について、図１及び図２を参照して具体的に説明する。
【００１６】
本実施形態に係る早期避難支援システムは、図１に示すように、雨量観測サーバ１と、雨量強度予測装置２とで構成され、その雨量観測サーバ１と雨量強度予測装置２とは、通信ネットワークＮを介して接続されている。この雨量観測サーバ１は、観測対象河川に設置されている雨量計（図示せず）にて計測した所定短時間毎（例えば、１分毎）の雨量データ（パルス信号）を記憶する記憶部１０と、その記憶部１０に記憶されている雨量データ（パルス信号）を、通信ネットワークＮを介して雨量強度予測装置２に配信する通信部１１とで構成されている。
【００１７】
一方、雨量強度予測装置２は、図１に示すように、ＣＰＵ等からなる中央制御部２０と、雨量データ取得生成部２１と、累加雨量算出部２２と、サンプリング時間設定格納部２３と、予測雨量強度算出部２４と、マウスやキーボード等からなる入力部２５と、上記雨量観測サーバ１から通信ネットワークＮを介して配信された雨量データ（パルス信号）を受信する通信部２６と、閾値設定格納部２７と、判別部２８と、液晶ディスプレイ等からなる表示部２９とで構成されている。
【００１８】
雨量データ取得生成部２１は、通信部２６にて受信した雨量データ（パルス信号）から所定短時間毎（例えば、１分毎）の雨量を生成するものである。具体的には、使用者が、入力部２５を用いて設定した図２の画面Ｐ１に示す上記雨量データ（パルス信号）の１パルスが０．５ｍｍか１ｍｍかの設定値（図示では０．５ｍｍが選択されている）に、通信部２６にて受信した所定短時間毎（例えば、１分毎）の雨量データ（パルス信号）を乗算することで所定短時間毎（例えば、１分毎）の雨量を生成している。すなわち、図２の画面Ｐ１に示す設定値が０．５ｍｍで、通信部２６にて受信した１分間の雨量データ（パルス信号）のパルス数が３であれば、０．５ｍｍ×３パルス＝１．５ｍｍ／ｍｉｎとなり、１分間の雨量を算出することができる。そのため、このような乗算を繰返していくことにより、所定短時間毎（例えば、１分毎）の雨量を生成することができる。そして、この生成された雨量が図２に示す画面Ｐ３のように表示部２９を介して表示されていくこととなる。なお、０．５ｍｍか１ｍｍかの設定は、図示しない雨量計の仕様に合せて設定されることは言うまでもない。
【００１９】
また、累加雨量算出部２２は、上記雨量データ取得生成部２１にて生成した所定短時間毎（例えば、１分毎）の雨量を累加するものである。そして、この累加された雨量が図２に示す画面Ｐ４のように表示部２９を介して表示される。より具体的に、図２に示す画面Ｐ２の時刻１５：１２に着目して説明すると、当該時刻１５：１２における１分間の雨量が１．５ｍｍ／ｍｉｎ（画面Ｐ３参照）で、その１分前の時刻１５：１１における累加雨量が２１．０ｍｍ（画面Ｐ４参照）である。そのため、累加雨量算出部２２は、時刻１５：１２における累加雨量として、上記累加雨量２１．０ｍｍと時刻１５：１２における１分間の雨量１．５ｍｍを加算することで、２２．５ｍｍと生成することができる。このようにして、累加雨量算出部２２は、上記雨量データ取得生成部２１にて生成した所定短時間毎（例えば、１分毎）の雨量を累加することで、累加雨量を生成することができる。そしてこの生成された累加雨量が図２に示す画面Ｐ４のように表示部２９を介して表示されることとなる。
【００２０】
一方、サンプリング時間設定格納部２３は、使用者に入力部２５を用いてサンプリング時間を設定するのを促すと共に、その設定されたサンプリング時間を格納するものである。そして、この設定されたサンプリング時間が図２の画面Ｐ５に示す雨量強度のうち画面Ｐ５０のように表示部２９を介して表示される。具体的には、サンプリング時間設定格納部２３は、使用者が入力部２５を用いて設定した図２の画面Ｐ５０に示す行方向の数値（単位は分）「１」，「３」，「５」，「７」，「１０」，「２０」，「３０」，「４０」，「５０」，「６０」を格納している。使用者はこれら数値を変更する際、変更したい所望の数値を、入力部２５を用いて図２に示す画面Ｐ５０に表示されている数値上に直接書き込むことにより変更することができる。そしてこの上書き変更された数値が、画面Ｐ５０に表示されると共に、サンプリング時間設定格納部２３に格納される。なお、これら数値は自由に変更することができ、最大で、３６０まで設定することができる。最大で３６０まで設定できるようにしたのは、降った雨が河川に流出し、その河川の水位が上昇するまで一般的に最大で６時間観測しておけばよいためである。それゆえ、勿論、３６０以上設定できるようにしても良い。また、本実施形態においては、サンプリング時間を自由に設定できるようにしたが、予め設定しておき変更できないようにしても良い。しかしながら、サンプリング時間を自由に設定できるようにした方が、観測対象河川地域に合せたサンプリング時間を設定することができるため、自由に設定できるようにした方が好ましい。
【００２１】
予測雨量強度算出部２４は、上記サンプリング時間設定格納部２３に格納されているサンプリング時間の単位時間当たり（例えば、１時間当たり）の予測雨量強度を上記雨量データ取得生成部２１にて生成した雨量を用いて算出してなるものである。具体的には、予測雨量強度算出部２４は、設定されたサンプリング時間毎に、下記数式１を用いて雨量データの単純移動平均を夫々算出し、そして、その算出した単純移動平均値、夫々に、単位時間を乗算することで、単位時間当たり（例えば、１時間当たり）の予測雨量強度を算出するものである。
【００２２】
（数１）
（Ｓ０＋Ｓ１＋Ｓ２＋・・・・・・＋ＳＮ−１）／Ｎ
Ｓ０は、ある時刻における１分間の雨量を示し、Ｓ１，Ｓ２，・・・・，Ｓｎ−１は、Ｓ０に示す時刻より１分前毎の時刻における１分間の雨量を示すものであり、Ｎは、サンプリング時間を示すものである。
【００２３】
すなわち、より具体的に、予測雨量強度算出部２４における算出方法を、図２に示す画面Ｐ２の時刻１５：１７に着目して説明する。まず、サンプリング時間「１」における単位時間当たり（例えば、１時間当たり）の予測雨量強度の算出方法を説明する。
【００２４】
サンプリング時間は「１」であるため、数式１におけるＮは１となる。それゆえ、数式１は、Ｓ０／１となる。このＳ０は、時刻１５：１７における１分間の雨量（画面Ｐ３参照）を示すものであるため、移動平均値は、１．５／１＝１．５となる。そして、この算出された移動平均値１．５に「６０」（１時間当たり）を乗算すると、１．５×６０＝９０．０となり、サンプリング時間「１」における１時間当たりの予測雨量強度が９０．０ｍｍ／ｈと算出されることとなる。
【００２５】
次いで、サンプリング時間「３」における単位時間当たり（例えば、１時間当たり）の予測雨量強度の算出方法を説明する。この時、サンプリング時間は「３」であるため、数式１におけるＮは３となる。それゆえ、数式１は、（Ｓ０＋Ｓ１＋Ｓ２）／３となる。このＳ０は、時刻１５：１７における１分間の雨量（画面Ｐ３参照）であり、Ｓ１は時刻１５：１７の１分前の時刻１５：１６における１分間の雨量（画面Ｐ３参照）であり、Ｓ２は時刻１５：１６の１分前の時刻１５：１５における１分間の雨量（画面Ｐ３参照）であるため、移動平均値は、（１．５＋０＋０）／３＝０．５となる。そしてこの算出された移動平均値０．５に「６０」（１時間当たり）を乗算すると０．５×６０＝３０．０となり、サンプリング時間「３」における１時間当たりの予測雨量強度が３０．０ｍｍ／ｈと算出されることとなる。
【００２６】
そしてさらに、サンプリング時間「５」における単位時間当たり（例えば、１時間当たり）の予測雨量強度の算出方法を説明する。この時、サンプリング時間は「５」であるため、数式１におけるＮは５となる。それゆえ、数式１は、（Ｓ０＋Ｓ１＋Ｓ２＋Ｓ３＋Ｓ４）／５となる。このＳ０は、時刻１５：１７における１分間の雨量（画面Ｐ３参照）であり、Ｓ１は時刻１５：１７の１分前の時刻１５：１６における１分間の雨量（画面Ｐ３参照）であり、Ｓ２は時刻１５：１６の１分前の時刻１５：１５における１分間の雨量（画面Ｐ３参照）であり、Ｓ３は時刻１５：１５の１分前の時刻１５：１４における１分間の雨量（画面Ｐ３参照）であり、Ｓ４は時刻１５：１４の１分前の時刻１５：１３における１分間の雨量（画面Ｐ３参照）であるため、移動平均値は、（１．５＋０＋０＋０＋０）／５＝０．３となる。そしてこの算出された移動平均値０．３に「６０」（１時間当たり）を乗算すると０．３×６０＝１８．０となり、サンプリング時間「５」における１時間当たりの予測雨量強度が１８．０ｍｍ／ｈと算出されることとなる。
【００２７】
しかして、上記同一の算出方法を繰返すことにより、予測雨量強度算出部２４にて、サンプリング時間「７」、「１０」、「２０」・・・における１時間当たりの予測雨量強度が算出され、図２の画面Ｐ５に示すように、画面Ｐ２の時刻毎の予測雨量強度が夫々算出されることとなる。このように、サンプリング時間を設定し、この設定したサンプリング時間の単位時間あたりの予測雨量強度を算出することにより、高精度な降雨状況の変化を表示部２９に表示させることができる。また、設定したサンプリング時間の単位時間あたりの予測雨量強度を、移動平均を用いて算出しているため、より高精度な降雨状況の変化を表示部２９に表示させることができる。
【００２８】
他方、閾値設定格納部２７は、使用者に入力部２５を用いて、災害発生等の危険度に応じた累加雨量及び雨量強度の閾値の設定を促すと共に、その設定された閾値を格納するものである。そして、この設定された閾値が図２に示す画面Ｐ６及び画面Ｐ７のように表示部２９を介して表示される。具体的には、閾値設定格納部２７は、使用者が入力部２５を用いて設定した図２の画面Ｐ６０〜Ｐ６４に示す累加雨量の閾値を格納しており、使用者はこれら画面Ｐ６０〜Ｐ６４に示す数値を変更する際、変更したい所望の数値を、入力部２５を用いて図２に示す画面Ｐ６０〜Ｐ６４に表示されている数値上に直接書き込むことにより変更することができる。また、これら画面Ｐ６０〜Ｐ６４に設定された数値に対応した画面Ｐ４の累加雨量の背景色が、夫々画面Ｐ６０ａ〜Ｐ６４ａのように予め設定され、閾値設定格納部２７に格納されている。
【００２９】
また一方、閾値設定格納部２７は、使用者が入力部２５を用いて設定した図２の画面Ｐ７０〜Ｐ７４に示す雨量強度の閾値を格納しており、使用者はこれら画面Ｐ７０〜Ｐ７４に示す数値を変更する際、変更したい所望の数値を、入力部２５を用いて図２に示す画面Ｐ７０〜Ｐ７４に表示されている数値上に直接書き込むことにより変更することができる。また、これら画面Ｐ７０〜Ｐ７４に設定された数値に対応した画面Ｐ５の雨量強度の背景色が、夫々画面Ｐ７０ａ〜Ｐ７４ａのように予め設定され、閾値設定格納部２７に格納されている。なお、本実施形態においては、累加雨量及び雨量強度の閾値を自由に設定できるようにしたが、予め設定しておき変更できないようにしても良い。しかしながら、閾値を自由に設定できるようにした方が、観測対象河川地域に合せた閾値を設定することができるため、自由に設定できるようにした方が好ましい。また、本実施形態においては、画面Ｐ６０ａ〜Ｐ６４ａのように、画面Ｐ６０〜Ｐ６４に設定された数値に対応した画面Ｐ４の累加雨量の背景色が予め設定され、画面Ｐ７０ａ〜Ｐ７４ａのように、画面Ｐ７０〜Ｐ７４に設定された数値に対応した画面Ｐ５の雨量強度の背景色が予め設定されているが、自由に設定できるようにしても良い。
【００３０】
一方、判別部２８は、累加雨量算出部２２にて算出した累加雨量が、上記閾値設定格納部２７にて災害発生等の危険度に応じて設定された累加雨量の閾値において、どの危険度の累加雨量の閾値に該当するかを判別する。そして、この判別結果に応じて、判別部２８は、図２に示す画面Ｐ４の累加雨量の背景色を、画面Ｐ６０〜Ｐ６４に設定された数値に対応した画面Ｐ６０ａ〜Ｐ６４ａの背景色に変更する。これにより、図２の画面Ｐ４に示すように変更された背景色の画面が表示部２９を介して表示されることとなる。具体的に図２に示す画面Ｐ２の時刻１５：２０に着目して説明すると、その時刻１５：２０における累加雨量が３２．５ｍｍ（画面Ｐ４参照）である。そのため、判別部２８は、この累加雨量が、図２に示す画面Ｐ６２の３０以上５０未満の閾値の範囲であると判別し、その画面Ｐ６２の数値に対応した画面Ｐ６２ａの背景色に当該累加雨量の背景色を変更する（画面Ｐ４参照）。このようにして、他の時刻における累加雨量の背景色も変更されることとなる。
【００３１】
また一方、判別部２８は、予測雨量強度算出部２４にて算出した予測雨量強度が、上記閾値設定格納部２７にて災害発生等の危険度に応じて設定された雨量強度の閾値において、どの危険度の雨量強度の閾値に該当するかを判別する。そして、この判別結果に応じて、判別部２８は、図２に示す画面Ｐ５の雨量強度の背景色を、画面Ｐ７０〜Ｐ７４に設定された数値に対応した画面Ｐ７０ａ〜Ｐ７４ａの背景色に変更する。これにより、図２の画面Ｐ５に示すように変更された背景色の画面が表示部２９を介して表示されることとなる。具体的に図２に示す画面Ｐ２の時刻１５：２０に着目して説明すると、その時刻１５：２０におけるサンプリング時間「１」の雨量強度は、１８０．０ｍｍ／ｈ（画面Ｐ５参照）である。そのため、判別部２８は、この雨量強度が、図２に示す画面Ｐ７４の８０以上の閾値の範囲であると判別し、その画面Ｐ７４の数値に対応した画面Ｐ７４ａの背景色に当該雨量強度の背景色を変更する（画面Ｐ５参照）。このようにして、他のサンプリング時間及び他の時刻における雨量強度の背景色も変更されることとなる。
【００３２】
しかして、閾値設定格納部２７にて災害発生等の危険度に応じて設定された累加雨量又は雨量強度の閾値において、累加雨量算出部２２にて算出した累加雨量又は予測雨量強度算出部２４にて算出した予測雨量強度が、どの危険度の累加雨量又は雨量強度の閾値に該当するかを判別部２９にて判別することにより、現在の降雨状況がどの危険度なのかを使用者に瞬時に報知することができる。それゆえ、使用者は、より速やかな避難勧告等を観測対象河川地域の住民等に行うことができる。なお、本実施形態においては、閾値設定格納部２７にて累加雨量の閾値を設定できるようにし、判別部２９にて累加雨量の判別を行えるようにしたが、雨量強度のみの閾値を設定し、判別できるようにしても良い。ただし、累加雨量の判別も行えた方が、より正確な状況を使用者に報知することができる。
【００３３】
ところで、上記のように構成される早期避難支援システムの作動開始は、使用者が図２の画面Ｐ８に示す「データ取得」を、入力部２５を用いて押下することにより、作動が開始される。すなわち、通信部２６が上記雨量観測サーバ１から通信ネットワークＮを介して雨量データ（パルス信号）を受信して上記説明した処理を開始する。一方、作動停止は、使用者が図２の画面Ｐ９に示す「終了」を、入力部２５を用いて押下することにより作動が停止される。すなわち、上記説明した処理を終了すると共に、上記雨量観測サーバ１からの雨量データ（パルス信号）の受信を終了する。
【００３４】
しかして、以上説明した本実施形態によれば、雨量強度予測装置２は、通信ネットワークＮを介して配信されてくる雨量観測サーバ１からの観測対象河川の所定短時間毎の雨量データを雨量データ取得生成部２１にて取得し、その取得した雨量データから単位時間当たりの予測雨量強度を予測雨量強度算出部２４にて算出している。そのため、この算出した単位時間当たりの予測雨量強度を表示部２９等によって本システムの使用者に報知してあげれば、使用者は、観測対象河川の降雨状況の変化をいち早く察知することができる。それゆえ、本実施形態によれば、観測対象河川付近の住民の早期避難を実現することができる。
【００３５】
なお、本実施形態においては、雨量観測サーバと雨量強度予測装置を夫々、１台設ける例を示したが、勿論、雨量観測サーバ及び／又は雨量強度予測装置を複数台設けても良い。また、本実施形態においては、雨量強度予測装置における処理を１台の雨量強度予測装置で全て処理する例を示したが、処理を分散させ、複数台の雨量強度予測装置で処理させても良い。
【符号の説明】
【００３６】
１                雨量観測サーバ
２                雨量強度予測装置
２１              雨量データ取得生成部（雨量データ取得手段）
２３              サンプリング時間設定格納部（サンプリング時間格納手段）
２４              予測雨量強度算出部（予測雨量強度算出手段）
２７              閾値設定格納部（閾値格納手段）
２８              判別部（判別手段）
２９              表示部
Ｎ                通信ネットワーク
【図１】
2013016065.tif 000003
【図２】
2013016065.tif 000004